(57)【特許請求の範囲】
【請求項１】
治癒時に足首を支持するため、怪我をした足首や下肢の外側部や内側部に沿って提供される足首用副木であって、該足首用副木は、
（ａ）副木使用者が履く靴内にフィットするようになった下端部を有した支持部材と、
剛質な前記支持部材の縁部と接触して刺激を与えないように脚部と足首の内側部を保護するために、内側支持体に対して外に広がっており、前記内側支持体の端と重なっているクッション性の周縁部と、
を含み、
足首や下肢の内側部に沿って提供される内側支持体と、
（ｂ）副木使用者が履く靴内にフィットするようになった下端部を有した支持部材と、
剛質な前記支持部材の縁部と接触して刺激を与えないように脚部と足首の外側部を保護するために、外側支持体に対して外に広がっており、前記外側支持体の端と重なっているクッション性の周縁部と、
を含み、
足首や下肢の内側部に沿って提供される外側支持体と、
（ｃ）前記内側支持体と前記外側支持体をそれぞれの下端部で連結し、副木着用者の足の裏側を延びる連結手段と、
（ｄ）前記内側支持体と前記外側支持体とクッション性の前記周縁部とを着用者の皮膚から離れさせるために、前記内側支持体又は前記外側支持体との内面に隣接しているパッド材料であって、
クッション性の前記周縁部に隣接しており、かつ、前記内側支持体又は前記外側支持体の縁部より広がっているパッド材料と、
を含んでいることを特徴とする足首用副木。
【請求項２】
前記周縁部は接着剤によってそれぞれの剛質の前記支持部材に接着されていることを特徴とする請求項１記載の足首用副木。
【請求項３】
前記パッド材料はそれぞれの剛質の前記支持部材の側縁部に重なって延び出ており、前記周縁部は剛質の前記支持部材と前記パッド材料の両方の前記側縁部に重なって延び出ていることを特徴とする請求項１記載の足首用副木。
【請求項４】
前記内側支持部材と前記外側支持部材はそれぞれ成型プラスチック材料で形成されていることを特徴とする請求項１から３のいずれか１項記載の足首用副木。
【請求項５】
（ａ）前記パッド材料は剛質の前記支持部材の前記側縁部と重合し、外側に延び出ており、
（ｂ）前記周縁部は剛質の前記支持部材と前記パッド材料の両方の前記側縁部に重合状態で外側に延び出ており、
（ｃ）前記周縁部は剛質の前記支持部材と前記パッド材料の重合部の両方に接着している、ことを特徴とする請求項３記載の足首用副木。
【請求項６】
前記パッド材料は立体的布材料で成ることを特徴とする請求項４記載の足首用副木。
【請求項７】
前記パッド材料は立体的布材料の２層で成ることを特徴とする請求項４記載の足首用副木。
【請求項８】
前記パッド材料は高通気性でラテックスを含まないタイプの立体的布材料の少なくとも１層を含んでいることを特徴とする請求項４記載の足首用副木。
【請求項９】
前記内側支持体と前記外側支持体とを下肢と足首に密着させて保持させるための少なくとも１枚の帯体を含んでいることを特徴とする請求項１記載の足首用副木。
【請求項１０】
前記パッド材料は６ｍｍから１２ｍｍの厚みであることを特徴とする請求項８記載の足首用副木。
【請求項１１】
前記パッド材料は９ｍｍの厚みであることを特徴とする請求項８記載の足首用副木。
【請求項１２】
前記パッド材料は、
（ａ）剛質の前記支持部材の内面に重なる単層と、
（ｂ）足首に接触して支持するようになった剛質の前記支持部材の一部に重なる別層と、
を含んでいることを特徴とする請求項１記載の足首用副木。
【請求項１３】
前記パッド材料は前記立体的布材料から成ることを特徴とする請求項１２記載の足首用副木。
【請求項１４】
前記連結手段は、
（ａ）前記内側支持部材に提供された内側帯体と、
（ｂ）前記外側支持部材に提供された外側帯体と、
（ｃ）前記内側帯体及び前記外側帯体それぞれに提供された相補的固定部材と、
を含んでおり、
前記内側帯体及び前記外側帯体を着脱式に連結させることを特徴とする請求項１記載の足首用副木。
【請求項１５】
前記相補的固定部材は面ファスナーで成ることを特徴とする請求項１４記載の足首用副木。
【請求項１６】
前記連結手段は、
（ａ）前記内側支持部材又は前記外側支持部材に提供されており、一方の端部に固定部材を有する帯体と、
（ｂ）前記固定部材と共同で前記内側支持体と前記外側支持体とを連結させるために、他方の外側支持部材又は内側支持部材の外面に提供された相補的固定部材と、
を含んでいることを特徴とする請求項１記載の足首用副木。
【請求項１７】
前記周縁部はビニール、天然ゴム又は合成ゴムから成る群から選択されることを特徴とする請求項１記載の足首用副木。
【請求項１８】
前記周縁部は外側縁部に向かってテーパ形状であり、フレキシビリティを増加させていることを特徴とする請求項１記載の足首用副木。
【発明の詳細な説明】
【技術分野】
【０００１】
本発明は軟質縁部を含んだ成型足首用副木に関する。
【背景技術】
【０００２】
この足首用副木は軽量成型副木製品において快適性、清潔性並びに洗濯性を提供する新規な内側層をも含んでいる。この副木は足首や下肢の外側部や内側部に支持を提供して足首を内反や外反から保護し、治癒時に足首の通常の背屈や足底屈を可能ならしめる。この副木は靴と共に装着できるように設計されており、靴内にフィットすることができる。
【０００３】
この副木は足首や下肢の内側部及び外側部に密着し、皮膚と副木の硬質部との接触を防止する縁部を提供することで装着快適性を増強している。
【０００４】
この副木は単純形態で堅牢であり、比較的に少ない製造工程で製造が可能である。
【発明の開示】
【発明が解決しようとする課題】
【０００５】
よって、本発明の１目的は軟質縁部を含んだ足首用副木の提供である。
【０００６】
本発明の別目的は快適で洗濯が容易な内側パッドを含んだ足首用副木の提供である。
【０００７】
本発明の別目的は硬質支持要素とパッド要素とを含んだ足首用副木の提供である。
【０００８】
本発明の別目的は多様な厚みの内側パッド層を有した足首用副木の提供である。
【課題を解決するための手段】
【０００９】
本発明のこれら及び他の目的は以下の好適実施例によって達成される。これら実施例は治癒時に足首を支持するため、怪我をした足首や下肢の外側部や内側部に沿って提供される足首用副木を利用する。内側支持体は足首や下肢の内側部に沿って提供される。この内側支持体は副木使用者が履く靴にフィットするように十分に細くて薄い下端部を有した長形で剛質である支持部材を含んでいる。この内側支持体は、支持部材の縁部と接触して刺激を与えないように脚部と足首の内側部を保護するために、内側支持部材に物理的に接着し、重合状態で延び出る軟質でフレキシブルな周縁部を含んでいる。外側支持体は足首と下肢の外側部に沿って延び、靴の中にフィットするように細くて薄い下端部を有した長形の剛質支持部材を含んでいる。この外側支持部材は剛質支持部材との接触による刺激から下肢と足首を保護するために支持部材に物理的に接着し、重合状態で延び出る軟質でフレキシブルな周縁部を含む。連結手段は内側支持体と外側支持体をそれぞれの下端部で連結し、副木の着用者の足の裏側を延びる。
【００１０】
本発明の１好適実施例によれば、内側支持体と外側支持体はそれぞれ剛質支持部材の内面に隣接したパッド材料を含んでいる。
【００１１】
本発明の別好適実施例によれば、周縁部は接着剤によってそれぞれの剛質支持部材に接着されている。
【００１２】
本発明の別好適実施例によれば、そのパッド材料はそれぞれの側部支持部材の側縁部に重なって延び出ており、周縁部は支持部材とパッド材料の両方の側縁部に重なって延び出ている。
【００１３】
本発明の別好適実施例によれば、剛質である内側支持部材と外側支持部材はそれぞれ成型プラスチック材料で形成されている。
【００１４】
本発明の別好適実施例によれば、パッド材料は剛質支持部材の側縁部と重合し、外側に延び出ている。その周縁部は剛質支持部材とパッド材料の両方の側縁部に重合状態で延び出ており、周縁部は剛質支持部材とパッド材料の重合部分の両方に接着している。
【００１５】
好適には、パッド材料は立体的布材料で成る。
【００１６】
本発明の別好適実施例によれば、パッド材料は立体的布材料の２層で成る。
【００１７】
本発明の別好適実施例によれば、パッド材料は高通気性でラテックスを含まないタイプの立体的布材料の少なくとも１層を含んでいる。
【００１８】
本発明の別好適実施例によれば、副木は内側支持体と外側支持体とを下肢と足首に密着させて保持させるための少なくとも１枚の帯体を含んでいる。
【００１９】
本発明の別好適実施例によれば、パッド材料は６ｍｍから１２ｍｍの厚みである。
【００２０】
本発明の別好適実施例によれば、パッド材料は９ｍｍ厚である。
【００２１】
本発明の別好適実施例によれば、パッド材料は剛質支持部材の内面に重なる単層と、足首に接触して支持するようになった剛質支持部材の一部に重なる別層を含んでいる。
【００２２】
本発明の別好適実施例によれば、連結手段は内側支持部材に提供された内側帯体と、外側支持部材に提供された外側帯体と、両帯体に提供された相補的固定部材とを含んでおり、両帯体を着脱式に連結させる。
【００２３】
本発明の別好適実施例によれば、相補的固定部材は面ファスナーで成る。
【００２４】
本発明の別好適実施例によれば、連結手段は内側支持部材または外側支持部材に提供された帯体を含み、それら内側支持部材または外側支持部材の他方は相補的固定部材を含んでおり、内側支持体と外側支持体とを連結させる。
【００２５】
本発明の別好適実施例によれば、周縁部はビニール、天然ゴムまたは合成ゴムで提供される。
【００２６】
本発明の別好適実施例によれば、周縁部は外側縁部に向かってテーパ形状であり、フレキシビリティを増加させている。
【００２７】
本発明の別好適実施例によれば、足首副木は、治癒中に足首を支持するように怪我をした足首と下肢の外側部および内側部に沿って延びるようになっている。この副木は足首と下肢の内側部に沿って延びる内側支持体を含んでいる。内側支持体は副木着用者の靴の内側にフィットするように狭くて薄い下端部を有した長形で剛質な支持部材を含んでいる。内側支持体は、剛質支持部材の縁部との接触による刺激から脚部と足首とを保護するために剛質内側支持部材に接着され、重合状態で延び出る軟質でフレキシブルな周縁部を含んでいる。外側支持体は足首と下肢の外側部に沿って延びるように提供され、靴の内側にフィットするように狭くて薄い下端部を有した長形の剛質支持部材を含んでいる。外側支持体は剛質支持部材の縁部との接触による刺激から脚部と足首の外側部を保護するように剛質外側支持部材に接着し、重合状態で外側に延び出る軟質の周縁部を含んでいる。連結手段は内側支持体と外側支持体をそれぞれの下端部で連結し、副木着用者の足の裏側で延びる。連結手段は内側支持部材に提供された内側帯体と外側支持部材に提供された外側帯体を含んでいる。相補的固定部材は内側帯体と外側帯体にそれぞれ提供されており、内側帯体と外側帯体を連結させる。相補的固定部材は面ファスナーで成る。布パッドの少なくとも１層は脚部と足首を保護するために内側部と外側部の剛質支持部材の内面に提供されている。
【００２８】
本発明の別好適実施例によれば、布パッドは剛質支持部材の周縁部を越えて延び出ており、周縁部は剛質支持部材の縁部と内側で重合し、周縁部は布パッドに外側で重合し、副木の内側支持体と外側支持体の最外側周縁部分を提供する。
【発明を実施するための最良の形態】
【００２９】
本発明の足首用副木１０が図１に図示されている。足首用副木１０は側部支持体１１と１２のペアで形成されている。好適には側部支持体１１と１２は同形であり、どちらでも下肢と足首の内側あるいは外側に利用できるようになっている。
【００３０】
側部支持体１１と１２は長形剛質支持部材１３と１４でそれぞれ形成されている。それぞれは副木着用者の靴の内側にフィットするように狭くて薄い下端部を有している。好適には支持部材１３、１４は熱可塑性材料で成型され、長軸方向で湾曲形状に形成されており、支持対象の下肢と足首に対して長形凹状面を提供する。適した材料には約１.３ｍｍ厚の１２メルトポリプロピレンが含まれる。好適には外面は光沢を有している。
【００３１】
側部支持体１１、１２はそれぞれ、支持部材１３、１４に物理的に接着し、重なって延び出る柔軟でフレキシブルな周縁部１５、１６をも含んでおり、剛質支持部材１３、１４の縁部と接触して受ける刺激から脚部と足首の内側部を保護する。適した材料にはビニール、ゴムあるいはサントプレン商標でアドバンスト・エラストマー・システム社が販売するもののごとき熱可塑性エラストマーが含まれる。
【００３２】
側部支持体１１、１２の内側凹面はそれぞれパッド材料１７、１８で覆われ、剛質支持部材１３、１４の主凹面との下肢及び足首の接触を防止する。図１で図示するように、パッド材料１７（図示せず）と１８は側部支持部材１３、１４の全周縁部を覆い、縁部以外での全面的接触防止を提供する。好適にはパッド材料１７、１８は図１で示すフレキシブルな縁部分１５、１６の外周縁にまでは外側に延び出ない。縁部分１５、１６は露出状態に残り、典型的にはパッド材料１７、１８の厚みの少なくとも一部だけ下肢と足首から離れている。動いてパッド材料１７、１８が圧縮されると、剛質支持部材１３、１４との接触はそれぞれフレキシブルな縁部分１５、１６で防止される。
【００３３】
好適なパッド材料はタイテックスグループ社が製造するニットスペーサ布のごとき立体スペーサ布である。そのような布は非常に軽量であるが、厚みや密度に則した有効なクッション効果を提供する。それらはゴムやネオプレンフォーム体の代用となり、ラテックスを含まない。湿気移動性や高通気性はこのような利用形態に追加的利点を提供する。パッド材料１７、１８の典型的な厚みは６から１２ｍｍの範囲であり、好適厚は４.５ｍｍ厚の２層であり、９ｍｍのものである。この厚みは１層または複数層で達成できる。パッド材料１７、１８はダイカット、超音波カットあるいは溶融カット等で容易にカット加工でき、利用可能な接着剤によって支持部材１１、１２の凹内面に容易に接着させられる。あるいは、パッド材料は面ファスナーやタッチ式固定具（図示せず）のごとき固定部材で側部支持体１１、１２の凹内面に着脱式に固定される。着脱性はパッドの厚み、密度、通気性の増減や、側部支持体１１、１２を継続使用させながらパッド材料１７、１８の交換性を提供する。
【００３４】
側部支持体１１、１２は連結され、織布、ニット、布織布あるいはプラスチック製の帯体１９、２０のごとき連結手段で靴内に収容保持される。図１で示すように、帯体１９、２０の固定手段の１例は、側部支持体１１の２１で示すようなスリット内に帯体１９、２０の１端を挿入して固定させるものである。帯体１９、２０の自由端には面ファスナーの相補的パッチ部２４、２５が提供される。これらパッチ２４、２５は十分に長く、それらの係合により着脱式固定状態が提供される。他の固定または連結手段でも利用できる。
【００３５】
図２と図３では側部支持体１１が両側部支持体１１と１２の代表で示されている。側部支持体１１のパッド材料１７は、剛質支持部材１３の下側の布パッド材料１７Ａ、１７Ｂとフレキシブルな縁部１５の内側部分を含んでいる。図３で明瞭に示すように、側部支持体１１は側部支持部材１３の接着層と布パッド材料１７Ａ、１７Ｂの２層を含んでいる。好適にはフレキシブルな縁部１５は側部支持部材１３と、下側のパッド材料層１７Ａ、１７Ｂの両方に、側部４字部材１３と重なるように物理的に接着する。好適にはフレキシブルな縁部１５は適当な接着剤で接着される。
【００３６】
図４から図７が図示する副木１０は、帯体１９、２０を準備し、固定帯体１９、２０を踵の下側に配置し、側部支持体１１、１２を下肢と足首の内側と外側にそれぞれ押し付けることで利用される。帯体１９、２０は必要に応じて調整する。副木１０は、例えばベルト２７、２８で下肢と足首に固定される。ベルト２７、２８は弾性あるいは非弾性であり、バックル２７Ａ、２８Ａをそれぞれ含んで、ベルトの締め具合の調整を助けることができる。あるいは、弾性ラップ体（図示せず）を利用できる。副木１０は靴下の外側または内側で利用できる。
【００３７】
図８で示す副木３０の帯体１９’、２０’は回動リベット３２で剛質支持部材１３’、１４’に固定されている。リベット３２はスリットの代わりに小孔のみを必要とし、帯体１９’、２０’を必要に応じて回転させ、下肢に対する足のサイズと形状に合わせる。
【００３８】
図９と図１０で示す副木４４はスリット２１’への挿入によって剛質支持部材１３’、１４’に固定され、スリット２１’内に剛質支持部材１３’を固定させる。帯体４４は十分に長く、足の裏側で延び、足首の反対側に回って相補的固定材料のパッチと固定される。例えば、帯体４４の１面に面ファスナーパッチを配置させ、帯体４４を支持部材１４’の外面の面ファスナーパッチと係合させる。両パッチ材料４５は十分に長く、固定状態を調整させる。もちろん、図８のリベットでも図８と図９の実施例に利用できる。
【００３９】
図１１で示す副木５０の帯体１９’、２０’は支持部材１３’上で示される間隔を開けて提供されたスリット５２、５３によって剛質支持部材１３’、１４’に固定される。帯体１９’、２０’とスリット５２、５３は帯体１９’、２０’が所定位置で摩擦力によって保持されるサイズで提供され、副木５０を取り外すことなく帯体１９’、２０’を引っ張ったり押したりして着用者が調整する。
【００４０】
図１２と図１３で示す副木６０のパッド材料は側部支持部材１３’、１４’全体を覆う層体６２内に提供され、縁部を除いて接触を防止する。パッド材料６３の第２層体は内側踝と外側踝の領域にフィットする形状とサイズを有しており、それら踝に追加的保護を提供する。
【００４１】
以上、足首用副木を解説した。本発明の多様な詳細は本発明の範囲を逸脱せずに変更が可能である。さらに、上記の好適実施例は本発明の説明のみを目的としており、本発明の限定は意図されていない。
【図面の簡単な説明】
【００４２】
本発明の目的の一部は上述した。本発明の他の目的並びに利点は以下において図面を利用して詳細に解説する。
【図１】図１は本発明の１実施例による足首用副木の斜視図である。
【図２】図２は副木の側部支持体の切欠き斜視図である。
【図３】図３は図２の３-３線に沿った断面図である。
【図４】図４はそれぞれ図１から図３の副木が足に取り付けられた状態を表す斜視図である。
【図５】図５はそれぞれ図１から図３の副木が足に取り付けられた状態を表す内側図である。
【図６】図６はそれぞれ図１から図３の副木が足に取り付けられた状態を表す前方図である。
【図７】図７はそれぞれ図１から図３の副木が足に取り付けられた状態を表す外側図である。
【図８】図８は本発明の別実施例の足首用副木の斜視図である。
【図９】図９は本発明の別実施例による足首用副木の斜視図である。
【図１０】図１０は着用者の足首に装着する形態の図９の足首用副木の斜視図である。
【図１１】図１１は本発明の別実施例による足首用副木の斜視図である。
【図１２】図１２は本発明の別実施例による足首用副木の斜視図である。
【図１３】図１３は図１２の１３-１３線に沿った断面図である。
【図１】
0004804758.tif 000002
【図２】
0004804758.tif 000003
【図３】
0004804758.tif 000004
【図４】
0004804758.tif 000005
【図５】
0004804758.tif 000006
【図６】
0004804758.tif 000007
【図７】
0004804758.tif 000008
【図８】
0004804758.tif 000009
【図９】
0004804758.tif 000010
【図１０】
0004804758.tif 000011
【図１１】
0004804758.tif 000012
【図１２】
0004804758.tif 000013
【図１３】
0004804758.tif 000014